(57)【要約】      （修正有）【課題】健康確認又促進時使用器具の提供。【解決手段】二対の金属板１，２同士を接続するケ−ブル３また生体に関する模式図４から構成される器具であって、金属板１を生体に密着させ、金属板２に生体に関する模式図４を密着させ、磁石５を模式図４上につける。【選択図】図１
0003121267.tif 000002
【実用新案登録請求の範囲】
【請求項１】
二対の金属板と前記二対の金属板同士を接続するケ−ブルと生体に関する模式図と磁石とから構成される器具であって、前記金属板のうち一方を生体につけ他方の金属板上に前記生体に関する模式図を密着し、さらに前記生体に関する模式図上に前記磁石をのせることを特徴とする健康確認促進時使用器具。
【請求項２】
各金属板の角部また端部が丸みを帯び、また各金属板の裏面にすべり止めを貼り、また生体に関する模式図を密着する金属板の表面に前記模式図を前記金属板に固定する留具を備えた請求項１記載の健康確認促進時使用器具。
【請求項３】
すべり止めとはゴムまたスポンジであり、またすべり止めの表面に凸凹があって両金属板の裏面同士をつけた場合に一方金属板に貼ったすべり止めの凸部分が他方金属板に貼ったすべり止めの凹部分にはまる形状となっており、また留具とはクリップである請求項２記載の健康確認促進時使用器具。
【請求項４】
金属板とは銅を主成分とする請求項１また請求項２また請求項３記載の健康確認促進時使用器具。
【考案の詳細な説明】
【技術分野】
【０００１】  本考案は、健康の確認また促進の作業の際に用いる器具の提供に関するものである。
【背景技術】
【０００２】  従来、生体各部位に刺激を与えては筋力を計則し、筋力の低下が確認されたときは、そのとき刺激した生体部位に問題があると判断する健康確認テストがあり（伊東聖鎬著「筋肉反射応用治療学」Ｃ．Ｋ．学会学術出版部１９８７年）、また経絡またツボを間接的に刺激する健康促進方法も広く用いられてきたが、金属板に生体とその模式図とをのせる方法によっても上記と同様の健康確認また健康促進の効果が得られる。
【考案の開示】
【考案が解決しようとする課題】
【０００３】  しかし、生体とその模式図との両方をのせるには非常に大きな金属板が必要であり、使用や持ち運びに不便であった。
本考案は、折り曲げ不可能な大きな金属板１枚を使用するかわりに、小さな金属板２枚を互いにケ−ブルで接続して使用することにより、上記欠点を解決するとともに、上記健康確認また健康促進の作業を行うに際して大きな金属板を使用するのと同様の効果を得られる器具を提供するものである。
【課題を解決するための手段】
【０００４】  請求項１記載の考案は、二対の金属板と前記二対の金属板同士を接続するケ−ブルと生体に関する模式図と磁石とから構成される器具であって、前記金属板のうち一方を生体につけ他方の金属板上に前記生体に関する模式図を密着し、さらに前記生体に関する模式図上に前記磁石をのせることを特徴とする健康確認促進時使用器具である。【０００５】  請求項２記載の考案は、各金属板の角部また端部が丸みを帯び、また各金属板の裏面にすべり止めを貼り、また生体に関する模式図を密着する金属板の表面に前記模式図を前記金属板に固定する留具を備えた請求項１記載の健康確認促進時使用器具である。【０００６】  請求項３記載の考案は、すべり止めとはゴムまたスポンジであり、またすべり止めの表面に凸凹があって両金属板の裏面同士をつけた場合に一方金属板に貼ったすべり止めの凸部分が他方金属板に貼ったすべり止めの凹部分にはまる形状となっており、また留具とはクリップである請求項２記載の健康確認促進時使用器具である。【０００７】  請求項４記載の考案は、金属板とは銅を主成分とする請求項１また請求項２また請求項３記載の健康確認促進時使用器具である。
【考案の効果】
【０００８】  本考案は、０００２記載の健康確認また健康促進を行うに際して、折り曲げ不可能な大きな金属板１枚を使用するかわりに、小さな金属板２枚を互いにケ−ブルでつないで使用することにより、金属板を重ねてコンパクトに持ち運ぶことを可能にし、また上記の健康確認また健康促進を行うに際して上記器具を同時に複数組使用することを容易にする。
また、生体側また模式図側の金属板の角部や端部が丸みを帯びることにより、けがを防止できる。
また、生体側の金属板の裏面にすべり止めを貼ることにより、生体が前記金属板上で動いた場合に前記金属板の位置がずれるのをおさえられる。摸式図側の金属板の裏面にすべり止めを貼ることにより、模式図上で磁石を動かした場合に前記金属板の位置がずれるのをおさえられる。また、金属板を重ねて持ち運ぶ際に、上記すべり止めが緩衝材になり、金属板同士の接触を避けることができ、金属板同士の衝突音を低減し、また壊れにくい。また、模式図側の金属板の表面に模式図を固定する為の留具を備えることにより、模式図上で磁石を移動する際に前記模式図の位置がずれるのを防止できる。
また、模式図側の金属板が銅を主成分とするとき、模式図上で磁石をスム−ズに移動でき、磁石を移動する時に模式図がめくれてずれるのを防止できる。生体側の金属板が銅を主成分とするとき、適度の重量を備えることにより、前記金属板上で生体が動いた場合に前記金属板の位置がずれにくい。
【考案を実施するための最良の形態】
【０００９】  以下、本考案の一実施例を図１、図２、図３に従って説明する。
【実施例】
【００１０】  二対の金属板１、２と二対の金属板１，２同士を接続するケ−ブル３と生体に関する模式図４、また磁石５から構成される。【００１１】  金属板１は、たとえば縦１５センチメ−トル程度、横１０センチメ−トル程度でもよい。
金属板２は、模式図４をのせるのに不自由のない大きさがあればよく、たとえば縦３２センチメ−トル程度、横２３センチメ−トル程度でもよい。【００１２】  金属板１、２の角部また端部は丸みを帯びていてよい。特に生体と密着する金属板１は、けがを防止する為に、角部また端部が丸みを帯び、また端部をゴムやビニ−ルなどで覆い、また布などで覆ってもよい。【００１３】  金属板１、２は銅を主成分としてもよい。金属板２が銅を主成分とする場合、磁石５をスム−ズに移動でき、磁石５を移動した際に模式図４がめくれあがってしまうことが少ない。また金属板１が銅板などである場合、アルミニウムなどと比べ適度の重量があり、金属板１上で生体が移動した場合に金属板１の位置がずれてしまうことが少ないといった利点もある。また同様に、金属板２が銅板などである場合、適度の重量があり、金属板２上で磁石を移動した際に金属板２の位置がずれてしまうことが少ないといった利点もある。【００１４】  また、金属板２表面に、たとえばクリップなどの模式図４を固定する為の留具６を備えれば、磁石５を移動する際に模式図４の位置がずれるのを防止できる。【００１５】  また、金属板１の裏面に、たとえばスポンジやゴムなどのすべり止め１−１を貼ることで、金属板１上で生体が移動した場合に金属板１の位置がずれるのを防止できる。また同様に、金属板２の裏面に、たとえばスポンジやゴムなどのすべり止め２−１を貼ることで、金属板２上で磁石５を移動した際に金属板２の位置がずれるのを防止できる。
また、金属板１、２を重ねて持ち運ぶ時に、すべり止め１−１、１−２が緩衝材となり、金属板１、２同士の接触を避けることができ、金属板１、２同士の衝突音を低減し、また壊れにくい。
すべり止め１−１、１−２は、よりその効果を発揮する為に、その表面上に、凸凹などがあってもよい。
そして、たとえば金属板１の裏面と金属板２の裏面とを密着させたとき、すべり止め１−１の凸部分が１−２の凹部分にはまるような形状にしておくことにより、金属板１、２を重ねて持ち運ぶ際に金属板１、２同士が分離しにくく便利である。【００１６】  ケ−ブル３は、銅なとを主成分とするものであってよく、その両端を除きビニ−ルなどの皮膜で覆われていてもよい。
ケ−ブル３は、その両端がそれぞれ金属板１と金属板２とに溶接またボルトまたその他の方法で接着される。【００１７】  模式図４とは紙上に記載された図また写真であってよく、全身骨格また脊柱また四肢の関節また筋肉また頭・頚部また脳・神経また皮膚また歯また眼また耳鼻・咽喉また臓器・循環器また肺また消化器系また泌尿器・生殖器また妊娠・出産また健康教育またツボや経絡また遺伝子などに関する図また写真などであってもよい。また生体の全容４−１を表すものから各部位の細部を表すもの４−２まで複数あってもよい。【００１８】  磁石５は、模式図４上の任意の部位に移動可能である。磁石５は必ずしも必要とは限らない。【００１９】  本器具は００１０記載の器具を２組以上備える器具でもよい。
【図面の簡単な説明】
【００２０】
【図１】本考案の一実施例を示す表面図である。
【図２】本考案の一実施例を示す裏面図である。
【図３】生体に関する模式図の一例を示す図である。
【符号の説明】
【００２１】１  生体側金属板
２  生体模式図側金属板
３  ケ−ブル
４  生体に関する模式図
５  磁石
６  留具
１−１  すべり止め
２−１  すべり止め
４−１  生体全容についての模式図
４−２  生体細部についての模式図
【図１】
0003121267.tif 000003
【図２】
0003121267.tif 000004
【図３】
0003121267.tif 000005